(57)【要約】【課題】  ユーザーが３Ｄメガネをかけるのか可否によって２Ｄ映像または３Ｄ映像をディスプレイすることができる。【解決手段】  本発明は、ディスプレイ装置及びその映像表示方法と３Ｄメガネ及びその駆動方法に係り、本発明によるディスプレイ装置は、立体映像をディスプレイするディスプレイ装置において、映像信号を受信する信号受信部と；前記信号受信部で受信された前記映像信号を処理する映像処理部と；前記映像処理部で処理された前記映像信号に基づいて映像をディスプレイするディスプレイ部と；少なくとも一つの３Ｄメガネから送信されたユーザーの前記３Ｄメガネの着用可否に対する情報を受信して、前記ユーザーの前記３Ｄメガネの着用可否に対応して前記映像が３Ｄ及び２Ｄの中でいずれか一つにディスプレイされるように前記映像処理部を制御する制御部とを含む。【選択図】      図１
2011091790.tif 000002
【特許請求の範囲】
【請求項１】
立体映像をディスプレイするディスプレイ装置において、
映像信号を受信する信号受信部と；
前記信号受信部で受信された前記映像信号を処理する映像処理部と；
前記映像処理部で処理された前記映像信号に基づいて映像をディスプレイするディスプレイ部と；
少なくとも一つの３Ｄメガネから送信されたユーザーの前記３Ｄメガネの着用可否に対する情報を受信して、前記ユーザーの前記３Ｄメガネの着用可否に対応して前記映像が３Ｄ及び２Ｄの中でいずれか一つにディスプレイされるように前記映像処理部を制御する制御部と；
を含むことを特徴とするディスプレイ装置。
【請求項２】
前記制御部は、前記ユーザーが前記３Ｄメガネをかける場合、前記映像が３Ｄにディスプレイされるようにすることを特徴とする請求項１に記載のディスプレイ装置。
【請求項３】
前記制御部は、前記ユーザーが前記３Ｄメガネをかけない場合、前記映像が２Ｄにディスプレイされるようにすることを特徴とする請求項１に記載のディスプレイ装置。
【請求項４】
前記制御部は、前記３Ｄメガネをかけるユーザーが複数である場合、少なくとも一つのユーザーが前記３Ｄメガネをかける場合、前記映像が３Ｄにディスプレイされるようにすることを特徴とする請求項１に記載のディスプレイ装置。
【請求項５】
前記制御部は、前記３Ｄメガネから前記着用可否に対する情報以外の前記ユーザーの状態情報を受信する場合、前記状態情報を利用して前記３Ｄ映像に適用させることを特徴とする請求項１に記載のディスプレイ装置。
【請求項６】
前記制御部は、前記ディスプレイ装置と通信する３Ｄメガネが少なくとも二つであり、ユーザーが前記少なくとも二つの３Ｄメガネ全部をかけない場合、３Ｄにディスプレイされる映像を２Ｄにディスプレイされるようにすることを特徴とする請求項１に記載のディスプレイ装置。
【請求項７】
前記制御部は、前記信号受信部で受信された前記映像信号の左眼映像及び右眼映像の中でいずれか一つに基づいて映像処理することによって、３Ｄにディスプレイされる映像が２Ｄにディスプレイされるようにすることを特徴とする請求項６に記載のディスプレイ装置。
【請求項８】
ディスプレイ装置でディスプレイされる立体映像のための３Ｄメガネにおいて、
立体映像を見るためのメガネ部と；
３Ｄメガネのユーザーに対する着用可否を感知するセンサー部と；
前記センサー部で感知された前記ユーザーの前記３Ｄメガネの着用可否に対する感知信号をディスプレイ装置に送る信号送信部と；
を含むことを特徴とする３Ｄメガネ。
【請求項９】
前記センサー部は、停電センサーを含んで前記ユーザーの３Ｄメガネの着用可否を感知することを特徴とする請求項８に記載の３Ｄメガネ。
【請求項１０】
前記センサー部は、地磁界センサー、加速度センサー、脈搏センサーの中で少なくとも一つを含むことを特徴とする請求項８に記載の３Ｄメガネ。
【請求項１１】
前記３Ｄメガネは、シャッター方式及び偏光方式の中でいずれかひとつであることを特徴とする請求項８に記載の３Ｄメガネ。
【請求項１２】
立体映像をディスプレイするディスプレイ装置の映像表示方法において、
映像信号を受信して処理する段階と；
少なくとも一つの３Ｄメガネから送信されたユーザーの前記３Ｄメガネの着用可否に対する情報を受信する段階と；
前記ユーザーの前記３Ｄメガネの着用可否に対応して３Ｄ映像及び２Ｄ映像の中でいずれか一つをディスプレイする段階と；
を含むことを特徴とするディスプレイ装置の映像表示方法。
【請求項１３】
前記ディスプレイする段階は、前記ユーザーが前記３Ｄメガネをかける場合、前記３Ｄ映像をディスプレイする段階を含むことを特徴とする請求項１２に記載のディスプレイ装置の映像表示方法。
【請求項１４】
前記ディスプレイする段階は、前記ユーザーが前記３Ｄメガネをかけない場合、前記２Ｄ映像をディスプレイする段階を含むことを特徴とする請求項１２に記載のディスプレイ装置の映像表示方法。
【請求項１５】
ディスプレイ装置でディスプレイされる立体映像のための３Ｄメガネの駆動方法において、
３Ｄメガネのユーザーに対する着用可否を感知する段階と；
前記ユーザーの前記３Ｄメガネの着用可否に対する感知信号をディスプレイ装置に送る段階と；
を含むことを特徴とする３Ｄメガネの駆動方法。
【発明の詳細な説明】
【技術分野】
【０００１】
本発明は、ディスプレイ装置及びその映像表示方法と３Ｄメガネ及びその駆動方法に係り、さらに詳しくは、ユーザーの３Ｄメガネの着用可否にしたがって３Ｄまたは２Ｄ映像をディスプレイするディスプレイ装置及びその映像表示方法と３Ｄメガネ及びその駆動方法に関する。
【背景技術】
【０００２】
人の目に見える世界は、すべてのものが３次元でなっている。すなわち、横、縦、高さが一団となって模様を成す。１次元や、２次元の場合には、片方の目で見たり、両方の目で見たり、見える内容において大きい差がないが、３次元の場合には大きい差が発生する。このような理由で、３次元（３Ｄ）で映像を表現する技術が昔から試験されて来たし、写真、映画、テレビ、テレビゲームなど多い分野で３Ｄ映像に関する表示方法が研究・実用化されている。３Ｄ立体映像技術は、一般的に近距離で立体感を認識するようにする最大の要因である両眼視差（Binocular  parallax）を利用して物体の立体感を感じらせる。このような立体映像を見られる方法には、メガネ式と無メガネ式がある。メガネ式は、シャッター方式の３Ｄメガネを利用したり、偏光メガネによって立体映像を見ることができる。一方、３Ｄ映像と２Ｄ映像は、互いに変換することができる。従って、３Ｄ映像をディスプレイする場合に、ユーザーが２Ｄ映像の視聴を希望する場合には３Ｄ映像を２Ｄ映像に変換してディスプレイすることができるし、その反対の場合も可能である。２Ｄ映像と３Ｄ映像の変換は、映像モード転換メニューを活性化して行われる。すなわち、ユーザーがディスプレイ装置のモード転換メニューを活性化して２Ｄ映像または３Ｄ映像を選択すれば、ユーザーの選択によって２Ｄ映像または３Ｄ映像がディスプレイされる。このような映像モード転換方式は映像モードが転換される時ごとにユーザーによる操作が必要だという不便が問題である。
【発明の概要】
【発明が解決しようとする課題】
【０００３】
従って、本発明の目的は、ユーザーの３Ｄメガネの着用可否によって３Ｄ映像及び２Ｄ映像をディスプレイするディスプレイ装置及びその映像表示方法と３Ｄメガネ及びその駆動方法を提供することである。
【課題を解決するための手段】
【０００４】
本発明の一実施形態によると、立体映像をディスプレイするディスプレイ装置において、映像信号を受信する信号受信部と；前記信号受信部で受信された前記映像信号を処理する映像処理部と；前記映像処理部で処理された前記映像信号に基づいて映像をディスプレイするディスプレイ部と；少なくとも一つの３Ｄメガネから送信されたユーザーの前記３Ｄメガネの着用可否に対する情報を受信して、前記ユーザーの前記３Ｄメガネの着用可否に対応して前記映像が３Ｄ及び２Ｄの中でいずれか一つにディスプレイされるように前記映像処理部を制御する制御部と；を含むディスプレイ装置が提供される。
【０００５】
ここで、制御部は、前記ユーザーが前記３Ｄメガネをかける場合、前記映像が３Ｄにディスプレイされるようにすることができる。
【０００６】
また、制御部は、前記ユーザーが前記３Ｄメガネをかけない場合、前記映像が２Ｄにディスプレイされるようにすることができる。
【０００７】
また、制御部は、前記３Ｄメガネをかけるユーザーが複数である場合、少なくとも一つのユーザーが前記３Ｄメガネをかける場合、前記映像が３Ｄにディスプレイされるようにすることができる。
【０００８】
また、制御部は、前記３Ｄメガネから前記着用可否に対する情報以外の前記ユーザーの状態情報を受信する場合、前記状態情報を利用して前記３Ｄ映像に適用させることができる。
【０００９】
また、制御部は、前記ディスプレイ装置と通信する３Ｄメガネが少なくとも二つであり、ユーザーが前記少なくとも二つの３Ｄメガネ全部をかけない場合、３Ｄにディスプレイされる映像を２Ｄにディスプレイされるようにすることができる。
【００１０】
また、制御部は、前記信号受信部で受信された前記映像信号の左眼映像及び右眼映像の中でいずれか一つに基づいて映像処理することによって、３Ｄにディスプレイされる映像が２Ｄにディスプレイされるようにすることができる。
【００１１】
一方、前記目的は、本発明によって、立体映像を見るためのメガネ部と；３Ｄメガネのユーザーに対する着用可否を感知するセンサー部と；前記センサー部で感知された前記ユーザーの前記３Ｄメガネの着用可否に対する感知信号をディスプレイ装置に送る信号送信部と；を含む３Ｄメガネによって達成されることができる。
【００１２】
ここで、センサー部は、停電センサーを含んで前記ユーザーの３Ｄメガネの着用可否を感知することができる。
【００１３】
また、センサー部は、地磁界センサー、加速度センサー、脈搏センサーの中で少なくとも一つを含むことができる。
【００１４】
また、３Ｄメガネは、シャッター方式及び偏光方式の中でいずれか一つであることができる。
【００１５】
一方、前記目的は、本発明にしたがって、映像信号を受信して処理する段階と；少なくとも一つの３Ｄメガネから送信されたユーザーの前記３Ｄメガネの着用可否に対する情報を受信する段階と；前記ユーザーの前記３Ｄメガネの着用可否に対応して３Ｄ映像及び２Ｄ映像の中でいずれか一つをディスプレイする段階と；を含むディスプレイ装置の映像表示方法によって達成されることができる。
【００１６】
ここで、ディスプレイする段階は、前記ユーザーが前記３Ｄメガネをかける場合、前記３Ｄ映像をディスプレイする段階を含むことができる。
【００１７】
また、ディスプレイする段階は、前記ユーザーが前記３Ｄメガネをかけない場合、前記２Ｄ映像をディスプレイする段階を含むことができる。
【００１８】
一方、前記目的は、本発明にしたがって、３Ｄメガネのユーザーに対する着用可否を感知する段階と；前記ユーザーの前記３Ｄメガネの着用可否に対する感知信号をディスプレイ装置に送る段階と；を含む３Ｄメガネの駆動方法によって達成されることができる。
【発明の効果】
【００１９】
前述のように、本発明によると、ユーザーが３Ｄメガネをかければ３Ｄ映像をディスプレイし、ユーザーが３Ｄメガネをかけなければ２Ｄ映像をディスプレイして、ユーザーの便宜をはかることができる。
【図面の簡単な説明】
【００２０】
【図１】図１は、本発明の一実施形態によるディスプレイ装置の構成を示す図である。
【図２】図２は、本発明の一実施形態による３Ｄメガネの構成を示す図である。
【図３】図３は、本発明の一実施形態によるディスプレイ装置の動作を示すフローチャートである。
【図４】図４は、本発明の一実施形態による３Ｄメガネの動作を示すフローチャートである。
【発明を実施するための形態】
【００２１】
以下、添付図を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００２２】
図１は、本発明の一実施形態によるディスプレイ装置１０の構成を示す図である。図１に示すように、本実施形態によるディスプレイ装置１０は、信号受信部１００、映像処理部１１０、ディスプレイ部１２０及び制御部１３０を含む。信号受信部１００は、映像信号を受信するのに、３Ｄ映像を具現するために映像信号には左眼映像及び右眼映像が含まれることができる。映像処理部１１０は、信号受信部１００で受信された映像信号がディスプレイされることができるように処理する。また、映像処理部１１０は、２Ｄ映像及び３Ｄ映像を互いに変換してディスプレイされるように処理することができる。すなわち、映像信号が２Ｄ映像のための映像信号である場合、これを変換して３Ｄ映像がディスプレイされるように処理することができるし、映像信号が３Ｄ映像のための映像信号の場合、これを変換して２Ｄ映像がディスプレイされることができるように処理することができる。３Ｄ映像のための映像信号を利用して２Ｄ映像をディスプレイすることは、３Ｄ映像を具現するための左眼映像及び右眼映像の中でいずれか一つの映像だけをディスプレイして行われることができる。ディスプレイ部１２０は、映像処理部１１０で処理された映像信号に基づいて映像をディスプレイする。
【００２３】
一方、制御部１３０は、３Ｄメガネ２０でユーザーの３Ｄメガネ２０の着用可否に対する情報を送れば、これを受信してユーザーの３Ｄメガネ２０の着用に対応して３Ｄ映像または２Ｄ映像がディスプレイされることができるように映像処理部１１０を制御する。すなわち、ユーザーが３Ｄメガネ２０をかければ、３Ｄ映像の視聴を願うと判断して、３Ｄ映像がディスプレイされるようにし、３Ｄメガネ２０をかけなければ、２Ｄ映像の視聴を願うと判断して２Ｄ映像がディスプレイされるようにする。ここで、ユーザーが３Ｄメガネ２０をかけなくていることは、ユーザーが３Ｄメガネ２０をかけないという信号が送信されたり、ユーザーが３Ｄメガネ２０をかけているという信号が受信されない場合である。
【００２４】
複数のユーザーが３Ｄメガネ２０をかける場合、一人でも３Ｄメガネ２０をかければ、３Ｄ映像をディスプレイし、すべてのユーザーが３Ｄメガネ２０をかけない場合には、２Ｄ映像をディスプレイする。ディスプレイされる映像は、受信される映像信号が２Ｄ映像のための信号である場合に、２Ｄ映像を３Ｄ映像に変換してディスプレイされるようにし、映像信号が３Ｄ映像のための信号である場合、３Ｄ映像を２Ｄ映像に変換してディスプレイされるようにする。３Ｄメガネ２０から送信されるユーザーの３Ｄメガネ２０に対する情報の受信は、制御部１３０で行われることができるが、別途の受信部で受信することもできる。
【００２５】
また、制御部１３０は、３Ｄメガネ２０でユーザーの着用可否に対する情報以外に、ユーザーの状態に関する情報を送れば、これを３Ｄ映像に適用してディスプレイされるようにすることができる。すなわち、ユーザーの動き、移動速度、ユーザーの生体リズム等に関する情報が送信されれば、これを３Ｄ映像に適用してディスプレイされるようにする。これによってリアリティーのあって立体感の高い３Ｄ映像をユーザーに提供することができる。
【００２６】
図２は、本発明の一実施形態による３Ｄメガネ２０の構成を示す図である。図２に示すように、本実施形態による３Ｄメガネ２０は、メガネ部２００、センサー部２１０及び信号送信部２２０を含む。メガネ部２００は、ディスプレイ装置１０でディスプレイされる映像を見るためのことであり、センサー部２１０は、ユーザーの３Ｄメガネ２０着用可否を感知するためのことであり、停電センサーを利用してユーザーの着用可否を感知することができる。また、センサー部２１０は、地磁界センサー、加速度センサー及び脈搏センサー等を含むことができるのに、これを利用してユーザーの動き情報、移動速度情報、生体情報などを感知することができる。信号送信部２２０は、センサー部２１０で感知されたユーザーの着用可否に対する情報をディスプレイ装置１０に送るためのことで、ディスプレイ装置１０と通信することができる通信装置が含まれる。センサー部２１０でユーザーの着用可否に対する情報以外のユーザーの状態情報を感知する場合、ユーザーの状態情報もディスプレイ装置１０に送る。この時、信号送信部２２０は、低電力通信が可能な赤外線通信方式を通じてディスプレイ装置１０に感知情報を送るのが望ましい。ユーザーが３Ｄメガネ２０をかけない場合には感知対象がないので、信号送信部２２０は感知信号を送ることができないだろうし、ディスプレイ装置１０は感知信号が送信された場合に３Ｄ映像をディスプレイする。
【００２７】
一方、本実施形態による３Ｄメガネ２０は、シャッター方式または偏光方式の中でいずれか一つの方式で駆動されることができる。まず、シャッター方式の３Ｄメガネ２０は、ディスプレイ装置１０でディスプレイされる３Ｄ映像と同期されて動作するのに、左眼映像がディスプレイされる時、シャッター方式の３Ｄメガネ２０の左眼シャッターは開放され、右眼シャッターは閉鎖され、右眼映像がディスプレイされる時、３Ｄメガネ２０の右眼シャッターは開放され、左眼シャッターは閉鎖される。偏光方式の３Ｄメガネ２０は、互いに異なる偏光板が付着される。３Ｄ映像の左側映像と右側映像がそれぞれ他の偏光を持っていて、互いに異なる偏光板が付着されたメガネをかけてみれば左側映像と右側映像が分離されて見えるので立体映像を見ることができる。
【００２８】
図３は、本発明の一実施形態によるディスプレイ装置１０の動作を示すフローチャートである。信号受信部１００で映像信号を受信すれば、映像処理部１１０でディスプレイされるように処理する（３００）。３Ｄメガネ２０からユーザーの３Ｄメガネ２０の着用可否に対する情報が受信されれば（３１０）、制御部１３０はユーザーが３Ｄメガネ２０をかけているのか可否を判断して（３２０）、ユーザーが３Ｄメガネ２０をかけていれば、３Ｄ映像がディスプレイされるようにするし（３３０）、ユーザーが３Ｄメガネ２０をかけていなければ、２Ｄ映像がディスプレイされるようにする（３４０）。
【００２９】
図４は、本発明の一実施形態による３Ｄメガネ２０の動作を示すフローチャートである。ユーザーが３Ｄメガネ２０をかければ、センサー部２１０でユーザーの３Ｄメガネ２０の着用を感知し（４００）、信号送信部２２０は感知情報をディスプレイ装置１０に送信する（４１０）。３Ｄメガネ２０から感知信号が送信されれば、ディスプレイ装置１０は３Ｄ映像をディスプレイする。
【００３０】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定まれる。
【符号の説明】
【００３１】
１０    ディスプレイ装置
２０    ３Ｄメガネ
１００  信号受信部
１１０  映像処理部
１２０  ディスプレイ部
１３０  制御部
２００  メガネ部
２１０  センサー部
２２０  信号伝送部
【図１】
2011091790.tif 000003
【図２】
2011091790.tif 000004
【図３】
2011091790.tif 000005
【図４】
2011091790.tif 000006